(57)【要約】      （修正有）【課題】家庭や職場・旅行先等、何処ででも簡単に指圧マッサージが可能な携帯型の指圧具を提供する。【解決手段】ゴルフボールの如き硬さを有する球体から成る指圧体２を、掌握可能で且つ弾性を有する基板３の上面に揺動可能に取付、該指圧体２と基板３全体を袋体８で被覆するとともに、該袋体８に支持バンド９を取り付け指圧具１０に形成する。【選択図】図４
0003110100.tif 000002
【実用新案登録請求の範囲】
【請求項１】
ゴルフボールの如き硬さを有する球体から成る指圧体を、掌握可能で且つ弾性を有する基板の上面に、揺動可能に取付たことを特徴とする指圧具。
【請求項２】
ゴルフボールの如き硬さを有する球体から成る指圧体を、掌握可能で且つ弾性を有する基板の上面に、揺動可能に取付、該指圧体と基板全体を袋体で被覆するとともに、該袋体に支持バンドを取り付けたことを特徴とする指圧具。
【請求項３】
基板が合成ゴムあるいは軟質で且つ厚手のプラスチックの如き弾性体であることを特徴とする請求項１又は２記載の指圧具。
【考案の詳細な説明】
【技術分野】
【０００１】
この考案は、家庭や勤務先あるいは列車や飛行機等での旅行中に、何処ででもその場で使用することができる携帯型指圧具に関する。
【背景技術】
【０００２】
従来、マッサージ等の施術により顔・首筋・肩・足裏などを刺激し、それらの患部の血行を良くすることにより、健康や美容を保つことができることは広く知られている。
このマッサージ等の施術を受けるには、時間と費用がかかるので、個人が家庭で手軽に利用できるマッサージ器具の出現が望まれ、種々のマッサージ器具が提案され、市販されている。
【０００３】
例えば、柄の先にローラー形状の指圧体を取り付けたもの、あるいは、指圧体を数珠状に多数取り付けたものなどあるが、これらは使用する場所が限定され、携帯するには不向きである。
また、掌握できる大きさの基板と球形状指圧体を一体に形成した木製の指圧具があるが、この指圧具は凝った肩などの患部に押し当て押圧すると、指圧体及び基板の材質が硬いために、刺激が強く患部が痛くなる問題がある。
【０００４】
さらに、列車や飛行機などの狭い座席でも使用でるマッサージ器具として、中心部に穴を開けた円形状のつば体を形成し、該つば体の穴に球体を嵌合し、接着剤でつば体と球体を一体に接着形成したマッサージ器具が提案されている。（特許文献１）
また、表面にでこぼこ、突起、くぼみのような突起を施し球状に加工したゴルフボールから成る回転刺激体を、平ら、又は表面にでこぼこ、突起、くぼみのような起伏を施した基盤の上に置き、その回転刺激体の上に足の裏を当てて自身の足の力で前後左右、斜め、円運動と自由自在に回転させ、いろいろの角度から足裏のツボにポイントを絞り込むような刺激を与えることができるマッサージ器具が提案されている。（特許文献２）
【特許文献１】特開２００３−３３９８１４号
【特許文献２】実用新案登録第３０９９６９９号
【考案の開示】
【考案が解決しようとする課題】
【０００５】
上記のマッサージ器具のうちの前者は、足裏をマッサージする場合には効果があるが、つば部を持って肩などのマッサージをした場合は、指圧力が足りない問題があり、また、後者のマッサージ器は、足裏のマッサージ以外に使用できない問題がある。
【０００６】
この考案は上述の課題を解決し、首筋、肩部、足裏、すね等の指圧マッサージをするのに適した指圧具の指圧体を、例えば、廃品となったゴルフのロストボールの如き球体を再利用することにより、製品を安価に提供しようとするものである。
【課題を解決するための手段】
【０００７】
この考案は上述の課題を解決するために、以下の構成としたものである。
請求項１に記載の考案は、ゴルフボールの如き硬さを有する球体から成る指圧体を、掌握可能で且つ弾性を有する基板の上面に、揺動可能に取付た指圧具としたことであり、指圧体のゴルフボールの如き硬さおよびその表面の凹凸と、弾性体で形成された基板および指圧体を前後左右に揺動可能に構成したので、押圧力が一点に集中することなく広い範囲に分散し、指圧箇所に係る圧力が過激ならず、指圧力を柔らかいものすることができる。
【０００８】
また、請求項２に係る考案は、ゴルフボールの如き硬さを有する球体から成る指圧体を、掌握可能で且つ弾性を有する円形状基板の上面に、揺動可能に取付、該指圧体と基板全体を布体で被覆するとともに、該布体に支持バンドを取り付けた指圧具であるから、指圧した際の患部に懸かる力を軽減できる。
また、支持バンドで足の甲を支持し、足裏に指圧体を当てることにより足裏のマッサージを容易することができ、さらに指圧体が足部から逸出することがない。
さらに、指圧体として例えば、使い古したゴルフボールを廃物利用した場合、製品を安価に提供できる上に、新品のゴルフボールの使用と異なり、表面の凹凸が適度にすり減りなめらかと成っているので、皮膚を傷めことがない。
【０００９】
また、基板を合成ゴムあるいは軟質で厚手のプラスチック等の弾性体から成る指圧具としたので、患部にかかる刺激をやわらげるこよができる。
【考案の効果】
【００１０】
基板を掌持し、指圧体を指圧しようとする肩、首筋等の患部を押すことにより、患部を刺激し血流を良好にすることができるが、患部への指圧体の押圧力は、指圧体を支持する基盤が弾性体で形成されているので、指圧体により肩などの患部へ指圧する力は、一部基板の弾性により吸収されるため、患部に懸かる押圧力は緩和し、痛みを和らげることができる。
【００１１】
また、飛行機の中など同じ座席に２時間以上座っていると血液が凝固し血栓が発生し、いわゆるエコノミー症候の原因となりやすいが、支持バンドを上にし、指圧体を下方床面に位置にした状態で支持バンドに足首を挿通し、床面で指圧体を動かして足裏のマッサージをすることにより血流を良くすることができ、エコノミー症候群となる血栓の発生を防げる。
また、支持バンドに手を通すか、握って足のスネなどを叩き、骨格筋を刺激することにより血流を良くすることができ、また、長時間座席に座っていても血栓の発生を少なくできる。
【考案を実施するための最良の形態】
【００１２】
この考案の実施の形態を以下の実施例に基づいて説明する。
【実施例】
【００１３】
この考案の１実施例を図面に基づき説明する。
図１はこの考案の指圧具の一実施例の斜視図、図２は縦断面図である。
図において１は指圧具で、該指圧具１はゴルフボールから成る指圧体２と、該指圧体２を左右前後方向へ揺動自在に支持した基板３から成る。
指圧体２のゴルフボールは使い古されたロストボールを使用し、該ボールの胴部にドリル等で貫通孔４を穿ち、一方、合成ゴムあるいは厚手の軟質のプラスチック板等からなる弾性を有する基板３に指圧体を取り付けるための取付穴５を設け、係止片６を貫通孔４および取付穴５に挿通し、ゴルフボールからなる指圧体２を基板３の上面に取り付け指圧具１に形成する。
基板３の上面に取り付けられたゴルフボールからなる指圧体２は、係止片６によって緩く前後左右の何れの方向にも揺動可能に取付られいる。
上面に指圧体２を揺動自在に取り付ける弾性を有する基板３は、合成ゴムあるいは厚手の軟質プラスチック板で、掌でつかむことができる大きさに形成する。また、基板の形状は円形でも四角形でもよいが円形が好ましい。
【００１４】
図３〜図４は他の実施例であり、図３は指圧具の斜視図、図４は同縦断面図である。
前述の実施例１と同様に、指圧具１はゴルフボールから成る指圧体２と、該指圧体２を左右前後方向へ揺動自在に支持した基板３から成る。
この指圧体２のゴルフボールは使い古されたロストボールを使用し、該ボールの胴部に穿った貫通孔４および取付基板３の取付穴５に係止片６を挿通し、合成ゴムあるいは厚手の軟質のプラスチック板からなる弾性を有する基板３に該指圧体を前後左右に揺動可能に取り付け、上記の指圧体２および基板３に、綿などの緩衝材と不織布７とから成る裏地を有する袋体８を被せて指圧具１０を形成する。また、この袋体８に支持バンド９を縫着する。
この支持バンド９に手を挿通し、弾性を有する基板を掌持して、肩・首筋などの患部
を指圧か、支持バンドを握り、指圧体２で肩・スネ・腿などを叩いて刺激をし、血行を良くさせる。
また、支持バンド９に足を挿通し、足の甲で支持することにより足裏をマッサージできる。
なお、上記の実施例では指圧体２を１個用いた指圧具について例示説明したが、指圧体２の数はこれに限定されるものではなく、複数個用いても良い。
【図面の簡単な説明】
【００１５】
【図１】この考案の指圧具の一実施例の斜視図である。
【図２】同上の縦断面図である。
【図３】この考案の指圧具の他の実施例の斜視図である。
【図４】同上の縦断面図である。
【符号の説明】
【００１６】
１  指圧具
２  指圧体
３  弾性を有する基板
４  貫通孔
５  取付穴
６  係止片
７  不織布
８  袋体
９  支持バンド
１０  指圧具
【図１】
0003110100.tif 000003
【図２】
0003110100.tif 000004
【図３】
0003110100.tif 000005
【図４】
0003110100.tif 000006